(57)【要約】   【課題】雨水の流れがスムーズで排水管からの臭気が竪樋に逆流しない竪樋・排水管トラップ構造を提供することを目的とする。  【解決手段】竪樋・排水管トラップ構造２０は、竪樋２１と排水管２との間に設けられ、前記竪樋２１の下端部２１ａと前記排水管２２の上端部２２ａとの間を蔽囲する筒形形状のトラップカバー２３が該トラップカバー２３の頂部２４の中心２４ａに筒状の竪樋接続部２５を備えている。  筒状の竪樋接続部２５の下方の内側には同心円の円筒２５ｂが高さＨ３で形成され凹溝２５ａが設けられる。凹溝２５ａに竪樋短管２６が嵌入され、前記竪樋接続部２５の上方には前記竪樋２１が挿入して接続されることで、前記竪樋２１と竪樋短管２６は連通接続される。竪樋短管２６の下方に前記竪樋短管２６の下端部２６ａを内包する（トラップとしての）水溜部２７と、さらに前記水溜部２７の下方に漏斗（じょうご）材２８が設けられる。【選択図】  図２
2006274608.tif 000002
【特許請求の範囲】
【請求項１】
竪樋と排水管との間に設けられる竪樋・排水管トラップ構造であって、
前記竪樋の下端部と前記排水管の上端部との間を蔽囲する筒形形状のトラップカバーが該トラップカバーの頂部に筒状の竪樋接続部を備え、
前記竪樋接続部に接続する竪樋短管が前記竪樋接続部を介して前記竪樋に接続されるとともに、前記竪樋短管の下方に前記竪樋短管の下端部を内包する（トラップとしての）水溜部と、さらに前記水溜部の下方に漏斗（じょうご）材を設け、
前記漏斗材の筒口部が前記トラップカバーの内側壁の全周部に当接し前記漏斗材の吐出口部が前記排水管に挿入されることを特徴とする竪樋・排水管トラップ構造。
【請求項２】
請求項1に記載の竪樋・排水管トラップ構造であって、前記竪樋接続部に前記竪樋の下端部と前記竪樋短管の上端部がそれぞれ接続されることを特徴とする竪樋・排水管トラップ構造。
【請求項３】
請求項1に記載の竪樋・排水管トラップ構造であって、前記竪樋接続部に前記竪樋短管が挿入されるとともに前記竪樋短管は前記竪樋に挿入接続されることを特徴とする竪樋・排水管トラップ構造。
【請求項４】
請求項１乃至請求項３のいずれか1項に記載の竪樋・排水管トラップ構造であって、前記トラップカバーが縦割り２分割で形成されることを特徴とする竪樋・排水管トラップ構造。
【発明の詳細な説明】
【技術分野】
【０００１】
本発明は雨樋としての竪樋と排水管との接続構造に関し、詳しくは、排水管からの異臭を竪樋に侵入させないための技術に関する。
【背景技術】
【０００２】
従来、建物の屋根からの雨水は竪樋を経て地下埋設等の排水管に排水されるが、竪樋と排水管との間のシール性が十分でない場合に、排水管から竪樋へ臭気が流れ込み、竪樋を上昇した臭気が建物内に侵入して不快感を与えるという問題があった。  
さらに、臭気にはアンモニア等が含まれるので、雨樋（竪樋、軒樋）が金属性材料を含む場合にアンモニア等によって腐食（侵食）することがあった。
【０００３】
そこで、排水管から竪樋への臭気の流れ込みを解決するための従来技術として特許文献１に掲載の内容が知られている。
【０００４】
図８に示すように、従来の竪樋・排水管トラップ構造は、竪樋３に挿入接続されるトラップカバー本体１と排水管４を覆うスカート部２とからなるトラップカバー５のスカート部２の内部に竪樋３と排水管４との間を封水するトラップＴが設置される。
【０００５】
トラップＴは、短管部６と、この短管部６の上方に設けるキャップ８と、短管部６に取付けられる雨水受け部７とで構成される。キャップ８は短管部６の上端６ａを覆うように被せ、キャップ８の下端部８ａが雨水受け部７の底面９と短管部６の上端６ａ（封水面１０）との中間位置になるように部材１１を介して短管部６に取付けられる。
【０００６】
そして、矢印で示すように、竪樋３から流れ込む雨水は最初に雨水受け部７の中に溜まる。さらに雨水が増加して雨水受け部７の上端を越えると、短管部６の上端６ａから短管部６を経て排水管４に流れる。
【０００７】
このように雨水受け部７内の雨水の水位（封水面１０）は短管部６の上端６ａに位置し、この雨水受け部７内の雨水によって竪樋３内の空間と排水管４内の空間とは完全に遮断することができるので、排水管４から竪樋３への臭気の侵入がなくなる。
【特許文献１】特開平８−１５８５６３号公報
【発明の開示】
【発明が解決しようとする課題】
【０００８】
ところが、上記の竪樋・排水管トラップ構造では雨水の流れが概ね順次内側に向かって流れる構成のため竪樋３の開口面積Ｍ１に対してトラップＴにおける短管部６の開口面積Ｍ４が小さく、さらに短管部６の上端６ａにおけるキャップ８との隙間における開口面積Ｍ３は雨水受け部７とキャップ８の隙間における開口面積Ｍ２よりも小さい。
【０００９】
つまり、Ｍ１＞Ｍ２＞Ｍ３、  Ｍ１＞Ｍ４の関係の構成であり、特に雨水受け部７において開口面積Ｍ２から開口面積Ｍ３に絞られるため、竪樋３からの雨水の水抵抗が大きくなるため雨水の短管部６（及び排水管４に対して）へのスムーズな流れが得られず、大雨時等においては雨水が竪樋３の上流側で溢れることがあった。
【００１０】
また、上記の竪樋・排水管トラップ構造では、竪樋３と同時に組立て施工しなくてはならず、竪樋３とは別工程による後付けができなかった。
【００１１】
そこで、本発明はかかる従来技術の問題に鑑みなされたものであって、雨水の流れがスムーズで排水管からの臭気が竪樋に逆流することがない竪樋・排水管トラップ構造を提供することを目的とする。
【００１２】
また、竪樋３とは別工程で後付けができる竪樋・排水管トラップ構造を提供することを目的とする。
【課題を解決するための手段】
【００１３】
請求項１の発明は、竪樋と排水管との間に設けられる竪樋・排水管トラップ構造であって、前記竪樋の下端部と前記排水管の上端部との間を蔽囲する筒形形状のトラップカバーの頂部に筒状の竪樋接続部を備え、前記竪樋接続部に接続する竪樋短管が前記竪樋接続部を介して前記竪樋に接続されるとともに、前記竪樋短管の下方に前記竪樋短管の下端部を内包する（トラップとしての）水溜部と、さらに前記水溜部の下方に漏斗材を設け、前記漏斗材の筒口部が前記トラップカバーの内側壁の全周部に当接し前記漏斗材の吐出口部が前記排水管に挿入されることを特徴としている。
【００１４】
この竪樋・排水管トラップ構造であれば、竪樋から、竪樋短管、水溜部、漏斗材に亘って順次外側になるように配置される。
【００１５】
また、前記竪樋短管の下方に前記竪樋短管の下端部を内包する（トラップとしての）水溜部を設けるので水溜部によって封水効果が得られる。
【００１６】
請求項２の発明は、請求項1に記載の竪樋・排水管トラップ構造であって、前記竪樋接続部に前記竪樋の下端部と前記竪樋短管の上端部がそれぞれ個別に接続されることを特徴としている。
【００１７】
この竪樋・排水管トラップ構造であれば、前記竪樋接続部によって竪樋と竪樋短管とを確実に接続することができる。
【００１８】
請求項３の発明は、請求項1に記載の竪樋・排水管トラップ構造であって、前記竪樋接続部に前記竪樋短管が挿入されるとともに前記竪樋短管は前記竪樋に挿入接続されることを特徴としている。
【００１９】
この竪樋・排水管トラップ構造であれば、前記竪樋接続部に前記竪樋短管を任意の長さだけ挿入して竪樋に挿入接続することができる。
【００２０】
請求項４の発明は、請求項１乃至請求項３のいずれか1項に記載の竪樋・排水管トラップ構造であって、前記トラップカバーが縦割り２分割で形成されることを特徴としている。
【００２１】
この竪樋・排水管トラップ構造であれば、前記トラップカバーが縦割り２分割されているので前記トラップカバーを適宜開閉することできる。
【発明の効果】
【００２２】
請求項１記載の発明によれば、竪樋から、竪樋短管、水溜部、漏斗材に亘って順次外側になるように配置されるので、それぞれの開口面積を順次広げることができるため雨水の水抵抗を減少できるので雨水がスムーズに流れる。
【００２３】
前記竪樋短管の下方に前記竪樋短管の下端部を内包する（トラップとしての）水溜部を設けるので水溜部によって封水効果が得られるので排水管からの臭気が竪樋に逆流することがなくなる。
【００２４】
請求項２記載の発明によれば、前記竪樋接続部によって竪樋と竪樋短管とを確実に接続することができるので、竪樋からの雨水を前記竪樋短管によって確実に前記水溜部に誘導できる。
【００２５】
請求項３記載の発明によれば、前記竪樋接続部に前記竪樋短管を任意の長さだけ挿入して竪樋に挿入接続することができる構造である。このため、予め前記竪樋接続部に前記竪樋短管を十分な長さだけ仮挿入しておき、前記竪樋接続部及び前記竪樋短管以外の竪樋・排水管トラップ構造を所定の位置に据付けて後に、前記竪樋短管を竪樋から所定の位置まで引き下ろすことができるため、「後付け」が可能な竪樋・排水管トラップ構造である。
【００２６】
このため、現場での作業工程に余裕が得られる。
【００２７】
請求項４記載の発明によれば、前記トラップカバーが縦割り２分割なので、前記トラップカバーを据付けた後に、竪樋短管、水溜部、漏斗材が取付け可能なので、「後付け」が可能な竪樋・排水管トラップ構造となり、現場での作業工程に余裕が得られる。
【００２８】
また、前記トラップカバーを随時開閉することできるので、メンテナンスが容易にできる。
【発明を実施するための最良の形態】
【００２９】
＜本発明の第１の実施形態＞
以下に、本発明の第１の実施形態を図１〜図３に基づいて説明する。
【００３０】
＜竪樋・排水管トラップ構造の構成＞  
図1、図２に示すように、本発明の竪樋・排水管トラップ構造２０は、竪樋２１と排水管２２との間に設けられ、前記竪樋２１の下端部２１ａと前記排水管２２の上端部２２ａとの間を蔽囲する筒形形状のトラップカバー２３が該トラップカバー２３の頂部２４の中心２４ａに筒状の竪樋接続部２５を備えている。
【００３１】
トラップカバー２３の大きさは高さＬ１、内径Ｓ３であり、トラップカバーの下端部２３ａは地面上に設置される。
【００３２】
筒状の竪樋接続部２５は高さＨ、厚さＰ、内径Ｓの円筒形状で、この円筒形状の内側下方には同心円の円筒２５ｂからなる凹溝２５ａが設けられる。この凹溝２５ａは高さＨ３、隙間Ｐ１で形成され、竪樋接続部２５の高さＨの略中間位置で竪樋接続部２５の内面に底部２５ｃが固着されている。
【００３３】
そして、前記竪樋接続部２５の下部には外直径Ｓ、厚さＰ１、長さＬの竪樋短管２６が前記凹溝２５ａに嵌入され、前記竪樋接続部２５の上部には前記竪樋２１が深さＨ３まで挿入接続されることで、前記竪樋２１と竪樋短管２６は連通する。
【００３４】
また、前記竪樋短管２６の下方に前記竪樋短管２６の下端部２６ａを内包する（トラップとしての）水溜部２７と、さらに前記水溜部２７の下方に漏斗（じょうご）材２８が設けられる。
【００３５】
水溜部２７は高さＨ２、内径Ｓ１の円筒に底部２７ａが形成され、１対のブラケット３１によって前記トラップカバー２３の側壁２３ｂの内面に固着される。このとき、前記竪樋短管２６の下端部２６ａと水溜部２７の底部２７ａは隙間Ｎで取付けられる。
【００３６】
前記漏斗材２８の筒口部２９は前記トラップカバー２３の側壁２３ｂの全周で当接し前記漏斗材２８の吐出口部３０が前記排水管２２に挿入される。
【００３７】
竪樋・排水管トラップ構造２０を構成する各部材は軽量化や耐腐食性を考慮して例えば硬質塩化ビニール樹脂等の合成樹脂が好ましいが、薄板のステンレス材や亜鉛鍍金鋼板でもよい。また、各部材間及び前記竪樋２１、前記排水管２２との接合部には接着剤や充填コーキング材等が適宜必要に応じて用いられる。
【００３８】
＜各寸法間の関係＞
雨水は矢印で示すように、竪樋２１から、竪樋短管２６、水溜部２７、漏斗材２８の筒口部２９、吐出口部３０を経て前記排水管２２に流れる。
【００３９】
このとき、雨水の流れをスムーズにするためには前記竪樋短管２６から水溜部２７を出るまでの間の水抵抗をできるだけ少なくする必要があるが、竪樋２１から、竪樋短管２６、水溜部２７、漏斗材２８に亘って順次外側になるように配置されているので、それぞれの開口（断面）面積を容易に順次広げることができる。
【００４０】
各断面における関係を計算式で表すために、前記竪樋短管２６と水溜部２７との上下方向の隙間をＮ、水平方向の隙間をＮ１とし、さらに、隙間Ｎにおける環状の水平断面積をＮＮ、隙間Ｎ１における環状の垂直断面積をＮＮ１、前記竪樋短管２６の断面積をＳＳとすると、ＳＳ≦ＮＮ≦＜ＮＮ１の関係が好ましい。（今、流れ方向が変わる時の形状抵抗損失等は無視する。）
このとき、各面積を表す計算式（管厚を無視する）は、
ＳＳ＝πＳ２／４
ＮＮ＝πＳＮ
ＮＮ１＝πＳ１２／４−πＳ２／４＝π／４（Ｓ１２−Ｓ２）である。
【００４１】
これらの式を用いて上記ＳＳ≦ＮＮ≦＜ＮＮ１の関係が得られるように諸寸法を選定することで雨水の流速を一定に保つことができて（流量は同じである）前記竪樋短管２６から水溜部２７を出るまでの間の水抵抗が過大にならないので雨水がスムーズに流れることができるので竪樋３の上流側で溢れることがない。
【００４２】
そして、竪樋２１と竪樋短管２６の断面積は略同じであり、通常下流側の断面積は上流側より大きいので前記排水管２２は竪樋２１よりも直径は大きいので、（Ｓ≒Ｓ４）＜Ｓ２（≒Ｓ５）＜Ｓ３（管厚を無視する）の関係である。
【００４３】
なお、吐出口部３０は高さＨ３、前記排水管２２の上端部２２ａへの挿入代Ｈ４であるが、雨水の漏れをなくすために深さＨ４はできるだけ深いほうが好ましい。
【００４４】
図３に示すように、前記トラップカバー２３はヒンジ部３５によって縦割り２分割に開閉することができる。また、水溜部２７を取付ける位置には予め取付け用のベース３６が１対のブラケット３１に固着されており、ベース３６は水溜部２７の位置合わせ用のストッパー３７を備えている。
【００４５】
＜竪樋・排水管トラップ構造の作用＞
上記のように、竪樋２１から、竪樋短管２６、水溜部２７、漏斗材２８に亘って順次外側に向かって配置されているので、それぞれの開口（断面）面積を自然に容易に順次広げることができるため雨水の水抵抗が減少して雨水がスムーズに流れる。
【００４６】
前記竪樋短管の下方に前記竪樋短管の下端部を内包する（トラップとしての）水溜部を設けるので水溜部によって封水効果が得られるので排水管からの臭気が竪樋に逆流することがなくなる。
【００４７】
そのため、雨樋（竪樋、軒樋）が金属性材料を含む場合でもアンモニア等によって腐食（侵食）することがなくなる。
【００４８】
前記トラップカバー２３が縦割り２分割に開閉することができるので、先に前記トラップカバー２３を前記竪樋２１に挿入して所定の場所に据付けた後に、漏斗材２８、竪樋短管２６、水溜部２７をそれぞれ組み込むことにより、竪樋・排水管トラップ構造２０を竪樋の取付け工程とは別途に「後付け」で組込むこともできる。そのため、現場での施工工程に余裕を持つことができる。
【００４９】
前記トラップカバー２３はヒンジ部３５によって縦割り２分割に開閉することができるので、内部の点検が容易にできるのでメンテナンス性に優れる。
【００５０】
＜本発明の第２の実施形態＞
以下に、本発明の第２の実施形態を説明するが、図１〜図３と同構成部分については、図面に同符号を付して重複した説明を省略する。
【００５１】
図４〜図６に示すように、本発明第２の実施形態の竪樋・排水管トラップ構造２０には、前記竪樋２１の下端部２１ａと前記排水管２２の上端部２２ａとの間を蔽囲する筒形形状のトラップカバー２３が設けられる。
【００５２】
トラップカバー２３の頂部２４は組立て前の段階では空洞２４ｂになっている。
【００５３】
水溜部４２の構造は、高さＨ２、内径Ｓ１の円筒形状に底部４２ｃが形成され、頂端部４２ａには「帽子の庇状のリング形状」の頂部２４を備えている。
【００５４】
そして、前記空洞２４ｂに水溜部４２が挿入されると、前記頂部２４の外周端部２４ｃがトラップカバー２３の側壁上端部２３ｃに固着されることで前記前記頂部２４が前記トラップカバー２３の頂部２４そのものとなる。
【００５５】
前記水溜部４２の側面４２ｂの頂端部４２ａ近傍には複数の開口部４３が底部４２ｃから開口下端４３ａまでの高さＭで設けられる。
【００５６】
次に、「帽子の庇状のリング形状」の竪樋接続部４１に挿入された竪樋短管２６が前記竪樋２１に挿入されるとともに前記水溜部４２に挿入される。このとき、前記竪樋接続部４１の形状は前記頂部２４と同様の「帽子の庇状のリング形状」なので、前記竪樋接続部４１を前記頂部２４に密着する状態で重ねて保持することができる。
【００５７】
なお、竪樋短管２６は前記水溜部４２の底部（底面）４２ｃに対して隙間Ｎ２を形成する位置に取付けられる。
【００５８】
竪樋２１からの雨水は矢印で示すように流れ、前記水溜部４２においては開口部４３の開口下端４３ａまで雨水が満たされることで封水できるので臭気の上昇を防ぐことができる。
【００５９】
竪樋・排水管トラップ構造２０の据付け順序は、図７に示すように、予め前記竪樋接続部４１に前記竪樋短管２６が挿入されるとともに前記竪樋短管２６を前記竪樋２１に十分仮挿入しておき、トラップカバー２３を所定の場所に据付けた後に、最後に竪樋短管２６を引き下げることで、前記竪樋接続部４１を前記頂部２４に密着する状態で重ねて保持できるとともに、前記水溜部４２の底部（底面）４２ｃに対して自動的に隙間Ｎ２となるように取付けることができる。
【００６０】
このように、トラップカバー２３を所定の場所に据付けた後に、水溜部４２内部に仮挿入された竪樋短管２６を下降して取付けできるので、本発明の第２の実施形態によれば竪樋・排水管トラップ構造２０が竪樋２１とは別工程で後付けが可能であるため現場での施工工程に余裕を持つことができる。
【００６１】
上記のように、竪樋２１から、竪樋短管２６、水溜部４２、漏斗材２８に亘って順次外側に向かって配置されているので、それぞれの開口（断面）面積を自然に容易に順次広げることができるため雨水の水抵抗が減少して雨水がスムーズに流れる。
【００６２】
以上、本発明の実施形態を図面に基づいて説明したが、上記の実施例はいずれも本発明の一例を示したものであり、本発明はこれらに限定されるべきでないということはいうまでもない。
【００６３】
前記トラップカバー２３はヒンジ部３５によって縦割り２分割されるが、２分割は等分割でなくても構わない。
【図面の簡単な説明】
【００６４】
【図１】本発明の第１の実施形態における、竪樋・排水管トラップ構造を示す斜視図である。
【図２】本発明の第１の実施形態における、竪樋・排水管トラップ構造の側面断面図である。
【図３】本発明の第１の実施形態における、トラップカバー２３がヒンジ部３５によって縦割り２分割に開いた状態と、竪樋短管２６と水溜部２７の取付けを示す斜視図である。
【図４】本発明の第２の実施形態における、竪樋・排水管トラップ構造を示す斜視図である。
【図５】本発明の第２の実施形態における、竪樋・排水管トラップ構造を示す側面断面図である。
【図６】本発明の第２の実施形態における、（ａ）は水溜部４２の斜視図、（ｂ）はトラップカバー２３に漏斗材２８が取付けられた状態を示す斜視図である。
【図７】本発明の第２の実施形態における、竪樋・排水管トラップ構造の取付け順序を示す斜視図である。
【図８】従来例における、竪樋・排水管トラップ構造を示す側面断面図である。
【符号の説明】
【００６５】
２０  竪樋・排水管トラップ構造
２１  竪樋
２１ａ  下端部
２２  排水管
２２ａ  上端部
２３  トラップカバー
２３ｂ  側壁
２４  頂部
２４ａ  中心
２５  竪樋接続部
２５ａ  凹溝
２５ｂ  円筒
２５ｃ  底部
２６  竪樋短管
２６ａ  下端部
２７  水溜部
２８  漏斗（じょうご）材
Ｈ３  高さ
【図１】
2006274608.tif 000003
【図２】
2006274608.tif 000004
【図３】
2006274608.tif 000005
【図４】
2006274608.tif 000006
【図５】
2006274608.tif 000007
【図６】
2006274608.tif 000008
【図７】
2006274608.tif 000009
【図８】
2006274608.tif 000010